(57)【要約】【課題】一枚板状のレバーによって雄側ハウジングと雌側ハウジングを嵌合するレバー式コネクタにおいて、嵌合過程での両ハウジングの傾きを抑制する。【解決手段】雌側ハウジングＦの筒状嵌合部１３は、レバー３０を収容する壁状収容部１５と、端子収容部１０を挟んで壁状収容部１５と反対側に位置する壁状規制部１６とを有し、雄側ハウジングＭのフード部４３は、壁状規制部１６と対向する規制壁部４４と、壁状収容部１５と対向する支持壁部４５を有する。支持壁部４５の外面には、カムフォロア４７と、壁状収容部１５の開口部２３に進入してレバー３０に当接可能な規制突部４８が形成されている。レバー３０の回動過程では、規制壁部４４の先端外縁部４４Ｅと壁状規制部１６の内面との当接、及び規制突部４８とレバー３０との当接により、両ハウジングＦ，Ｍの傾きが規制される。【選択図】図５
2016096095.tif 000002
【特許請求の範囲】
【請求項１】
ブロック状の端子収容部と、前記端子収容部を包囲する略角筒状の筒状嵌合部とを備えた雌側ハウジングと、
カム溝が形成され、前記筒状嵌合部を構成する壁状収容部内に回動可能に収容された略一枚板状のレバーと、
略角筒状のフード部を有する雄側ハウジングと、
前記フード部の外面に形成されたカムフォロアとを備え、
前記端子収容部と前記筒状嵌合部との間の嵌合空間に前記フード部を浅く収容して、前記カムフォロアを前記カム溝の入口に進入させると、前記雌側ハウジングと前記雄側ハウジングが初期状態となり、
前記初期状態から前記レバーを回動させると、前記カム溝と前記カムフォロアとの嵌合によるカム作用により、前記雌側ハウジングと前記雄側ハウジングが嵌合されるレバー式コネクタであって、
前記筒状嵌合部を構成し、前記端子収容部を挟んで前記壁状収容部とは反対側に配された壁状規制部と、
前記フード部を構成し、前記壁状規制部の内面に沿うように配される規制壁部と、
前記フード部を構成し、前記壁状収容部の内面に沿うように配され、外面から前記カムフォロアを突出させた支持壁部と、
前記支持壁部の外面に突出形成され、前記壁状収容部に形成した開口部に進入して前記レバーに当接可能な規制突部とを備え、
前記レバーが回動する過程では、前記規制壁部の先端外縁部と前記壁状規制部の内面との当接、及び前記規制突部と前記レバーとの当接により、前記雌側ハウジングと前記雄側ハウジングとの間における姿勢の傾きが規制されるようになっていることを特徴とするレバー式コネクタ。
【請求項２】
前記規制突部が、前記カムフォロアの基端部に連なっていることを特徴とする請求項１記載のレバー式コネクタ。
【請求項３】
前記フード部が、端子保持部から片持ち状に延出した形態であり、
前記規制突部が、前記フード部の延出方向において前記カムフォロアよりも後方に配されていることを特徴とする請求項１又は請求項２記載のレバー式コネクタ。
【請求項４】
前記開口部が、前記カムフォロアを前記壁状収容部内に進入させるための誘導経路となっていることを特徴とする請求項１ないし請求項３のいずれか１項に記載のレバー式コネクタ。
【発明の詳細な説明】
【技術分野】
【０００１】
本発明は、レバー式コネクタに関するものである。
【背景技術】
【０００２】
特許文献１には、フード部を有する雄側ハウジングと、フード部に嵌入される端子収容部を有する雌側ハウジングを、雌側ハウジングに設けたレバーの回動操作によって嵌合するレバー式コネクタが開示されている。
【先行技術文献】
【特許文献】
【０００３】
【特許文献１】特開２００４−０１４１４２号公報
【発明の概要】
【発明が解決しようとする課題】
【０００４】
このレバー式コネクタは、レバーが、一枚板状をなしていて、端子収容部の外壁に沿うように配されている。また、両ハウジングの周面同士の間には、寸法公差を考慮し、嵌合動作を円滑にするためのクリアランスが確保されている。そのため、両ハウジングの嵌合過程では、レバーのカム溝とフード部のカムフォロアとの係合部分を支点として、両ハウジングの姿勢が傾く虞がある。両ハウジングの傾きが大きくなると、雄側ハウジングの端子金具と雌側ハウジングの端子金具との間の摺動抵抗も大きくなり、結果的に、嵌合抵抗が大きくなる。
【０００５】
本発明は上記のような事情に基づいて完成されたものであって、一枚板状のレバーによって雄側ハウジングと雌側ハウジングを嵌合するレバー式コネクタにおいて、嵌合過程における両ハウジングの姿勢の傾きを抑制することを目的とする。
【課題を解決するための手段】
【０００６】
本発明のレバー式コネクタは、
ブロック状の端子収容部と、前記端子収容部を包囲する略角筒状の筒状嵌合部とを備えた雌側ハウジングと、
カム溝が形成され、前記筒状嵌合部を構成する壁状収容部内に回動可能に収容された略一枚板状のレバーと、
略角筒状のフード部を有する雄側ハウジングと、
前記フード部の外面に形成されたカムフォロアとを備え、
前記端子収容部と前記筒状嵌合部との間の嵌合空間に前記フード部を浅く収容して、前記カムフォロアを前記カム溝の入口に進入させると、前記雌側ハウジングと前記雄側ハウジングが初期状態となり、
前記初期状態から前記レバーを回動させると、前記カム溝と前記カムフォロアとの嵌合によるカム作用により、前記雌側ハウジングと前記雄側ハウジングが嵌合されるレバー式コネクタであって、
前記筒状嵌合部を構成し、前記端子収容部を挟んで前記壁状収容部とは反対側に配された壁状規制部と、
前記フード部を構成し、前記壁状規制部の内面に沿うように配される規制壁部と、
前記フード部を構成し、前記壁状収容部の内面に沿うように配され、外面から前記カムフォロアを突出させた支持壁部と、
前記支持壁部の外面に突出形成され、前記壁状収容部に形成した開口部に進入して前記レバーに当接可能な規制突部とを備え、
前記レバーが回動する過程では、前記規制壁部の先端外縁部と前記壁状規制部の内面との当接、及び前記規制突部と前記レバーとの当接により、前記雌側ハウジングと前記雄側ハウジングとの間における姿勢の傾きが規制されるようになっているところに特徴を有する。
【発明の効果】
【０００７】
両ハウジングの嵌合動作を円滑にするため、筒状嵌合部の内周面とフード部の外周面との間にクリアランスが確保されており、このクリアランスによって両ハウジングの間で姿勢の傾きが生じ得る。この傾きが最大になる状態では、フード部の規制壁部の先端外縁部が筒状嵌合部の壁状規制部の内面に当接し、フード部の支持壁部の外面が、筒状嵌合部の壁状収容部側に当接する。そして、クリアランスが一定であれば、規制壁部の先端外縁部と壁状規制部の内面との当接位置を基点としたときに、この基点から、支持壁部側と壁状収容部側との当接位置までの距離が長い程、傾き角度は小さくなる。
【０００８】
この点に着目し、本発明では、支持壁の外面に規制突部を突出形成し、この規制突部を壁状収容部内のレバーに当接させる構成とした。この規制突部とレバーとの当接位置は、支持壁部の外面や壁状収容部の先端内縁部に比べると、上記基点からの距離が長い。したがって、規制突部が形成されておらず、傾きが最大の状態で支持壁部の外面と壁状収容部の先端内縁部とが当接する従来のものと比較すると、本発明のレバー式コネクタは、ハウジングの傾きを小さく抑えることができる。
【図面の簡単な説明】
【０００９】
【図１】実施例１の雌側ハウジングの平断面図
【図２】雄側ハウジングの平面図
【図３】両ハウジングの嵌合が開始され、カムフォロアがカム溝の入口に進入した状態をあらわす側断面図
【図４】両ハウジングの嵌合過程において、レバーと規制突部が当接して両ハウジングの傾きが規制された状態をあらわす側断面図
【図５】両ハウジングが嵌合した状態をあらわす側断面図
【図６】両ハウジングの嵌合が開始され、カムフォロアがカム溝の入口に進入した状態をあらわす平断面図
【図７】両ハウジングの嵌合過程において、レバーと規制突部が当接して両ハウジングの傾きが規制された状態をあらわす平断面図
【図８】両ハウジングが嵌合した状態をあらわす平断面図
【発明を実施するための形態】
【００１０】
（１）本発明のレバー式コネクタは、
前記規制突部が、前記カムフォロアの基端部に連なっていてもよい。
カム溝に嵌合されるカムフォロアには、両ハウジング間の嵌合抵抗に相当する押圧力が作用するため、カムフォロアが傾くように変形することが懸念される。しかし、カムフォロアの基端部には規制突部が連なっているので、カムフォロアの基端部が補強され、カムフォロアの傾き変形を防止することができる。
【００１１】
（２）本発明のレバー式コネクタは、
前記フード部が、端子保持部から片持ち状に延出した形態であり、
前記規制突部が、前記フード部の延出方向において前記カムフォロアよりも後方に配されていてもよい。
この構成によれば、規制突部が、カムフォロアよりもフード部の基端部に近い位置に配置されることになる。フード部の基端部は端子保持部に連なっていて強度が比較的高いので、支持壁部のうち規制突部が形成されている領域は変形し難い。したがって、規制突部によって両ハウジングの傾きを抑制する機能の信頼性に優れている。
【００１２】
（３）本発明のレバー式コネクタは、
前記開口部が、前記カムフォロアを前記壁状収容部内に進入させるための誘導経路となっていてもよい。
この構成によれば、開口部とは別に、カムフォロアを壁状収容部内に進入させるための専用の切欠部を形成する場合に比べると、壁状収容部の強度を高く保つことができる。
【００１３】
＜実施例１＞
以下、本発明を具体化した実施例１を図１〜図８を参照して説明する。本実施例１のレバー式コネクタは、２つの雌側ハウジングＦと１つの雄側ハウジングＭを、各雌側ハウジングＦに設けたレバー３０の回動操作によって嵌合するものである。尚、２つの雌側ハウジングＦは左右対称な形態であるから、本実施例１では、一方の雌側ハウジングＦについて説明するが、他方の雌側ハウジングＦについては説明を省略する。また、以下の説明において、上下方向は、図３〜５にあらわれる向きを、そのまま上方、下方と定義する。
【００１４】
図１，３に示すように、雌側ハウジングＦは、ブロック状をなす端子収容部１０と、端子収容部１０を包囲する略角筒状の筒状嵌合部１３とを一体に形成して構成されている。前後方向（両ハウジングＦ，Ｍの嵌合方向と平行な方向）において、端子収容部１０の前端面と筒状嵌合部１３の前端とは同じ位置にある。端子収容部１０の内部には、複数の端子収容室１１が、上下左右方向に整列して形成されている。各端子収容室１１内には、夫々、後方から雌端子金具１２が挿入されている。前後方向において、全ての雌端子金具１２の前端の位置は、同じ位置に揃えられている。
【００１５】
端子収容部１０と筒状嵌合部１３は、その後端部（図３〜８における右側の端部）近くにおいて繋がっている。端子収容部１０の外周と筒状嵌合部１３の内周との間には、雌側ハウジングＦの前面（図２〜８における左側の面）に開放された略角筒状の嵌合空間１４が構成されている。筒状嵌合部１３は、上壁部となる壁状収容部１５と、下壁部となる壁状規制部１６と、左右一対の壁状連結部１７とによって略角筒状に構成されている。壁状規制部１６は、端子収容部１０を挟んで壁状収容部１５と対向するように配されている。左右両壁状連結部１７は、壁状収容部１５の左右両端縁と壁状規制部１６の左右両端縁とを繋いでいる。
【００１６】
壁状収容部１５内には、雌側ハウジングＦの後端面に開放された収容空間１８が形成されている。収容空間１８内には、レバー３０の一部が収容される。壁状収容部１５を構成する隔壁部１９は、収容空間１８と嵌合空間１４とを区画している。収容空間１８内には、隔壁部１９の上面（外面）から突出した形態の支持軸２０が形成されている。支持軸２０は、軸線を上下方向（両ハウジングＦ，Ｍの嵌合方向と直交する方向）に向けた姿勢で設けられ、レバー３０を回動可能に支持する。
【００１７】
そして、後述するカムフォロア４７と規制突部４８を収容空間１８に進入させるための手段として、壁状収容部１５の前面壁２１には誘導口２２が開口され、隔壁部１９には、誘導口２２に連通し、前後方向（両ハウジングＦ，Ｍの嵌合方向と平行に方向）に延びる開口部２３が開口されている。幅方向（レバー３０の回動中心である支持軸２０の軸線方向と、両ハウジングＦ，Ｍの嵌合方向の両方向に対して直交する方向）において、誘導口２２の形成領域と開口部２３の形成領域は同じ範囲である。つまり、誘導口２２の幅寸法と開口部２３の幅寸法は同じである。
【００１８】
レバー３０は、全体として略水平な一枚板状をなす。図１に示すように、レバー３０には、軸受孔３１とカム溝３２と操作部３３とが形成されている。軸受孔３１は、レバー３０を上下方向（板厚方向）に貫通した形態である。カム溝３２は、その入口３２Ｅをレバー３０の外周縁に開口させており、軸受孔３１を中心とする円周に対して斜めをなす経路で形成されている。操作部３３は、レバー３０の外周縁を部分的に外方へ突出させた形態である。
【００１９】
レバー３０のうち軸受孔３１とカム溝３２を含む領域は、収容空間１８内に収容されている。そして、軸受孔３１が支持軸２０に嵌合されている。レバー３０は、支持軸２０及び軸受孔３１を中心として、初期位置（図３，６を参照）と、嵌合位置（図５，８を参照）との間で揺動（回動）し得るようになっている。レバー３０を揺動させる際には、収容空間１８の外部に突出している操作部３３を摘んで操作を行う。レバー３０が初期位置にある状態では、カム溝３２の入口３２Ｅが、前方（雄側ハウジングＭ側）に向かって開口する。そして、幅方向において、カム溝３２の入口３２Ｅは、誘導口２２及び開口部２３と整合するように位置している。
【００２０】
図２に示すように、雄側ハウジングＭは、１つの端子保持部４０と左右対称な一対のフード部４３とを一体に形成して構成されている。端子保持部４０は、両ハウジングＦ，Ｍが嵌合した状態において、端子収容部１０の前端面と対向するようになっている。各フード部４３は、略角筒状をなし、端子収容部１０の外周縁から前方（図２〜８における右方）へ延出した形態である。端子保持部４０には、複数本の雄端子金具４１Ｌ，４１Ｓが圧入等により前後方向に貫通した状態で保持されている。
【００２１】
雄端子金具４１Ｌ，４１Ｓは、細長い棒状をなし、側方から見て略直角に屈曲した形状をなしている。雄端子金具４１Ｌ，４１Ｓの下向きの基端部は、回路基板（図示省略）に接続されるようになっている。雄端子金具４１Ｌ，４１Ｓの先端部は、端子保持部４０から前方へ（つまり、雌側ハウジングＦに向かって）片持ち状に突出してフード部４３で包囲されたタブ４２Ｌ，４２Ｓとなっている。フード部４３内において、雄端子金具４１Ｌ，４１Ｓは長尺のものと短尺のものとの２種類に分けられている。長尺の雄端子金具４１Ｌは、タブ４２Ｌの突出端（前端）の位置が比較的前方に位置しているのに対し、短尺の雄端子金具４１Ｓは、タブ４２Ｓの突出端（前端）の位置が、長尺の雄端子金具４１Ｌのタブ４２Ｌよりも後方に位置している。この長短両タブ４２Ｌ，４２Ｓの前後方向における位置の違いにより、両ハウジングＦ，Ｍが嵌合する過程で、タブ４２Ｌ，４２Ｓと雌端子金具１２との接触開始のタイミングが異なっている。
【００２２】
図３に示すように、フード部４３は、下壁部となる規制壁部４４と、上壁部となる支持壁部４５と、左右一対の側壁部４６とによって略角筒状に構成されている。支持壁部４５は、上下方向において規制壁部４４と対向するように配されている。図２，３に示すように、支持壁部４５の外面（上面）には、軸線を上下方向（支持軸２０と平行）に向けた円柱状をなすカムフォロア４７が形成されている。カムフォロア４７の外径は、上記誘導口２２及び開口部２３の幅寸法よりも少し小さい寸法に設定されている。
【００２３】
両ハウジングＦ，Ｍを嵌合する際には、まず、レバー３０を初期位置で待機させ、嵌合空間１４内にフード部４３を浅く進入させる。このとき、カムフォロア４７は、誘導口２２と開口部２３を通過して収容空間１８内に進入し、図３，６に示すように、カム溝３２の入口３２Ｅに進入する。これにより、両ハウジングＦ，Ｍが初期状態となる。この初期状態からレバー３０を回動させると、カム溝３２とカムフォロア４７との嵌合によるカム作用により、両ハウジングＦ，Ｍが互いに引き寄せられ、図４，７に示すように、両ハウジングＦ，Ｍの嵌合動作が進む。この間、カムフォロア４７が開口部２３内を移動するとともに、嵌合空間１４に対するフード部４３の進入量が増大し、雄端子金具４１Ｌ，４１Ｓのタブ４２Ｌ，４２Ｓが、端子収容部１０内に進入して雌端子金具１２との接触を開始する。そして、レバー３０が嵌合位置に到達すると、両ハウジングＦ，Ｍの嵌合動作が完了し、雌端子金具１２と雄端子金具４１Ｌ，４１Ｓが導通可能に接続された状態となる。。
【００２４】
また、両ハウジングＦ，Ｍの嵌合に伴ってフード部４３が嵌合空間１４に進入していく過程、及び両ハウジングＦ，Ｍが嵌合されてフード部４３の進入が完了した状態では、規制壁部４４が壁状規制部１６に沿うように配され、規制壁部４４の外面（下面）と壁状規制部１６の内面（上面）とが対向する。同じく、フード部４３が嵌合空間１４に進入している過程、及び進入が完了した状態では、支持壁部４５が壁状収容部１５に沿うように配され、支持壁部４５の外面（上面）と壁状収容部１５の内面（下面）とが対向する。
【００２５】
筒状嵌合部１３の内周面とフード部４３の外周面との間には、両ハウジングＦ，Ｍの嵌合動作を円滑に行わせるためにクリアランスが確保されている。また、両ハウジングＦ，Ｍが嵌合する過程では、両ハウジングＦ，Ｍ（筒状嵌合部１３とフード部４３）の上面部においてカム溝３２とカムフォロア４７との嵌合部分が先行し、両ハウジングＦ，Ｍの下側部分が追従する形となる。そのため、両ハウジングＦ，Ｍの嵌合過程では、両ハウジングＦ，Ｍが、カム溝３２とカムフォロア４７との当接部分を支点として、各ハウジングＦ，Ｍの前端面を斜め下に向けるように姿勢を傾けようとする。
【００２６】
両ハウジングＦ，Ｍの姿勢の傾きが大きくなると、雄端子金具４１Ｌ，４１Ｓと雌端子金具１２との間の摺動抵抗も大きくなり、結果的に、両ハウジングＦ，Ｍ間における嵌合抵抗が大きくなる。そこで、嵌合抵抗を低減するため、本実施例１では、両ハウジングＦ，Ｍの姿勢の傾きを抑制する手段として、支持壁部４５に規制突部４８を形成している。
【００２７】
規制突部４８は、支持壁部４５の外面（つまり、壁状収容部１５の内面と対向する面）からリブ状に突出した形態である。支持壁部４５の外面からの規制突部４８の突出寸法は、壁状収容部１５の隔壁部１９の厚さ寸法より少し大きい寸法に設定されている。前後方向（両ハウジングＦ，Ｍの嵌合方向）における規制突部４８の形成領域は、カムフォロア４７の前端より少し前方（図２〜８における右方）の位置から、支持壁部４５（フード部４３）の後端に至る範囲である。
【００２８】
規制突部４８の上面のうちカムフォロア４７の後方近傍には、フード部４３の後方に向かって上り勾配となるように（支持壁部４５の上面からの突出寸法が大きくなるように）傾斜した誘導面４９が形成されている。また、幅方向における規制突部４８の形成領域は、カムフォロア４７の全幅よりも少し広い範囲であり、誘導口２２及び開口部２３の開口幅よりも僅かに狭い範囲である。規制突部４８は、カムフォロア４７の基端部に連なっている。つまり、規制突部４８の前端部上面からカムフォロア４７が突出した形態となっている。
【００２９】
次に、本実施例１の作用を説明する。両ハウジングＦ，Ｍが初期状態にあるときには、図６に示すように、規制突部４８の前端部（誘導面４９の形成領域）が、開口部２３の前端部内及び誘導口２２の下端部に配置される。また、幅方向においては、カム溝３２の入口３２Ｅが規制突部４８と対応するので、レバー３０と規制突部４８とは非接触である。このとき、全てのタブ４２Ｌ，４２Ｓは、雌端子金具１２と非接触である。つまり、図３に示すように、長尺のタブ４２Ｌは、雌端子金具１２に対し接近して対応する位置にあるが、短尺のタブ４２Ｓは、雌端子金具１２に対して大きく離間した位置にある。
【００３０】
この状態から、レバー３０を嵌合方向へ回動させると、図７に示すように、レバー３０の外周縁部の一部（カム溝３２の入口３２Ｅの開口縁部）が、規制突部４８の誘導面４９と対応する。このとき、図４に示すように、長尺の雄端子金具４１Ｌのタブ４２Ｌは、雌端子金具１２と接触するが、短尺の雄端子金具４１Ｓのタブ４２Ｓは、雌端子金具１２と非接触である。この状態から、さらにレバー３０の回動を進めると、両ハウジングＦ，Ｍの嵌合が進むとともに、前後方向において開口部２３内における規制突部４８の進入深さが増していく。開口部２３は収容空間１８に連通しているので、開口部２３内に進入した規制突部４８の上面は、レバー３０の下面と対向する。
【００３１】
レバー３０の回動が開始すると、両ハウジングＦ，Ｍは、その前端面同士を斜め下に向けるように姿勢を傾ける（図示省略）。両ハウジングＦ，Ｍの姿勢が傾くと、両ハウジングＦ，Ｍの下端側では、規制壁部４４の先端外縁部４４Ｅが壁状規制部１６の内面に当接する。一方、両ハウジングＦ，Ｍの上端側では、開口部２３に進入した規制突部４８の上面が、収容空間１８内のレバー３０の下面に当接する。この上下両端側における当接作用により、両ハウジングＦ，Ｍのそれ以上の姿勢の傾きが規制される。
【００３２】
そして、この状態から、レバー３０の回動と両ハウジングＦ，Ｍの嵌合を更に進める過程では、規制壁部４４の先端外縁部４４Ｅと壁状規制部１６の内面が摺接するとともに、規制突部４８の上面とレバー３０の下面が摺接する。この間、壁状規制部１６の上面における規制壁部４４の摺接領域は、両ハウジングＦ，Ｍの嵌合が進むのに伴って次第に高くなるため、雌側ハウジングＦは、雄側ハウジングＭに対して相対的に下方へ変位しようとする。一方、レバー３０における規制突部４８への摺接箇所は、前後方向において殆ど変化しない。したがって、両ハウジングＦ，Ｍの嵌合が進むのに伴い、雌側ハウジングＦの姿勢が、雄側ハウジングＭに対して傾きを小さくする方向へ変化していく。そして、両ハウジングＦ，Ｍが嵌合されると、両ハウジングＦ，Ｍ間の姿勢の傾きが最小となる。
【００３３】
また、両ハウジングＦ，Ｍの嵌合過程では、まず、長尺のタブ４２Ｌが雌端子金具１２との接触を開始し、その後、短尺のタブ４２Ｓが雌端子金具１２との接触を開始する。この後、長尺のタブ４２Ｌとの雌端子金具１２との接触抵抗が最大となり、続いて、短尺のタブ４２Ｓと雌端子金具１２との接触抵抗が最大となる。この間、上記のように規制突部４８とレバー３０との当接によって両ハウジングＦ，Ｍの姿勢の傾きが小さく抑えられているので、タブ４２Ｌ，４２Ｓ（雄端子金具４１Ｌ，４１Ｓ）と雌端子金具１２との間の接触抵抗も、小さく抑えられている。
【００３４】
上述のように実施例のレバー式コネクタは、ブロック状の端子収容部１０と、端子収容部１０を包囲する略角筒状の筒状嵌合部１３とを備えた雌側ハウジングＦと、カム溝３２が形成され、筒状嵌合部１３を構成する壁状収容部１５内に回動可能に収容された略一枚板状のレバー３０と、略角筒状のフード部４３を有する雄側ハウジングＭと、フード部４３の外面に形成されたカムフォロア４７とを備えて構成されている。端子収容部１０と筒状嵌合部１３との間の嵌合空間１４にフード部４３を浅く収容して、カムフォロア４７をカム溝３２の入口３２Ｅに進入させると、両ハウジングＦ，Ｍが初期状態となる。そして、初期状態からレバー３０を回動させると、カム溝３２とカムフォロア４７との嵌合によるカム作用により、両ハウジングＦ，Ｍが嵌合されるようになっている。
【００３５】
かかる構成のレバー式コネクタは、両ハウジングＦ，Ｍの嵌合動作を円滑にするため、筒状嵌合部１３の内周面とフード部４３の外周面との間にクリアランスが確保されており、このクリアランスによって両ハウジングＦ，Ｍの間で姿勢の傾きが生じ得る。この傾きが最大になる状態では、両ハウジングＦ，Ｍの下端側において、フード部４３の規制壁部４４の先端外縁部４４Ｅが筒状嵌合部１３の壁状規制部１６の内面に当接し、両ハウジングＦ，Ｍの上端側において、フード部４３の支持壁部４５の外面が、筒状嵌合部１３の壁状収容部１５側に当接する。そして、上下方向のクリアランスが一定であれば、規制壁部４４の先端外縁部４４Ｅと壁状規制部１６の内面との当接位置を基点としたときに、この基点から、支持壁部４５側と壁状収容部１５側との当接位置までの距離が長い程、傾き角度は小さくなる。
【００３６】
この点に着目し、本実施例１では、両ハウジングＦ，Ｍの上端側において、支持壁の外面に、壁状収容部１５に形成した開口部２３に進入可能な規制突部４８を突出形成し、この規制突部４８を壁状収容部１５内のレバー３０と対向させる構成とした。そして、レバー３０が回動する過程では、規制壁部４４の先端外縁部４４Ｅと壁状規制部１６の内面とを当接させるとともに、規制突部４８の外面とレバー３０とを当接させるようにした。このように上下２箇所における当接形態により、両ハウジングＦ，Ｍの間における姿勢の傾きを抑制又は規制することができた。
【００３７】
また、規制突部４８とレバー３０との当接位置は、支持壁部４５の外面（上面）や壁状収容部１５の先端内縁部（下面）に比べると、上記基点からの距離が長い。したがって、規制突部４８が形成されておらず、傾きが最大の状態で支持壁部４５の外面と壁状収容部１５の先端内縁部とが当接する従来のものと比較すると、本実施例１のレバー式コネクタは、ハウジングの傾きが小さく抑えられている。
【００３８】
また、カム溝３２に嵌合されるカムフォロア４７には、両ハウジング間の嵌合抵抗に相当する押圧力が作用するため、カムフォロア４７が傾くように変形することが懸念される。しかし、カムフォロア４７の基端部には規制突部４８が連なっているので、カムフォロア４７の基端部が補強され、カムフォロア４７の傾き変形を防止することができる。
【００３９】
また、フード部４３は端子保持部４０から片持ち状に延出した形態であり、規制突部４８は、フード部４３の延出方向においてカムフォロア４７よりも後方に配されている。この構成によれば、規制突部４８が、カムフォロア４７よりもフード部４３の基端部に近い位置に配置されることになる。フード部４３の基端部は端子保持部４０に連なっていて強度が比較的高いので、支持壁部４５のうち規制突部４８が形成されている領域は変形し難い。したがって、規制突部４８によって両ハウジングの傾きを抑制する機能の信頼性に優れている。
【００４０】
また、開口部２３が、カムフォロア４７を壁状収容部１５内に進入させるための誘導経路となっている。この構成によれば、開口部２３とは別に、カムフォロア４７を壁状収容部１５内に進入させるための専用の切欠部を形成する場合に比べると、壁状収容部１５の強度を高く保つことができる。
【００４１】
また、雌端子金具１２と雄端子金具４１Ｌ，４１Ｓとの間の接触抵抗は、両ハウジングＦ，Ｍの間の傾き角度が大きくなるほど、増大する。そこで、本実施例１では、両ハウジングＦ，Ｍの嵌合過程で、雌側ハウジングＦに設けた雌端子金具１２と雄側ハウジングＭに設けた雄端子金具４１Ｌ，４１Ｓとの間の接触抵抗が最大となるより前に、規制突部４８がレバー３０に当接するようにした。この構成によれば、雌端子金具１２と雄端子金具４１Ｌ，４１Ｓとの間の接触抵抗が最大となる前に、両ハウジングＦ，Ｍの姿勢の傾きが抑制されるので、両端子金具間の接触抵抗の増大を抑制することができる。
【００４２】
＜他の実施例＞
本発明は上記記述及び図面によって説明した実施例１に限定されるものではなく、例えば次のような実施例も本発明の技術的範囲に含まれる。
（１）上記実施例１では、規制突部をカムフォロアの基端部に連なる形態としたが、規制突部はカムフォロアとは独立した領域に形成されていてもよい。
（２）上記実施例１では、規制突部が、フード部の延出方向においてカムフォロアよりも後方に配されているが、規制突部は、フード部の延出方向において、カムフォロアと同じ位置か、カムフォロアよりも先方に配されていてもよい。
（３）上記実施例１では、開口部が、カムフォロアを壁状収容部内に進入させるための誘導経路としての機能を兼ね備えているが、開口部とは別に、カムフォロアを壁状収容部内に進入させるための専用の切欠部を壁状収容部に形成してもよい。
（４）上記実施例１では、規制突部が、幅寸法の比較的小さいリブ状であるが、規制突部は、幅寸法の大きい形態であってもよい。また、この場合、規制突部の幅方向における形成範囲は、支持壁部の全幅より狭い領域でもよく、支持壁部の全幅に亘って連続した領域でもよい。
（５）上記実施例１では、雌端子金具と雄端子金具との接触抵抗が最大となるより前に、規制突部をレバーに当接させたが、雌端子金具と雄端子金具との接触抵抗が最大となった後で、規制突部がレバーと当接するようにしてもよい。
（６）上記実施例１では、雄側ハウジングに向かって突出するタブの突出端の位置が異なる複数種類の雄端子金具を設けたが、複数の雄端子金具は、タブの先端の位置が全て揃った１種類のものであってもよい。
（７）上記実施例１では、雄側ハウジングが回路基板に取り付けられるようになっているが、雄側ハウジングはワイヤーハーネスに取り付けられるものであってもよい。
（８）上記実施例１では、規制突部がレバーに当接する時に、長尺のタブが雌端子金具に対して接近して対応するようになっているが、これに限らず、規制突部がレバーに当接する時に、長尺のタブが、雌端子金具に接触するようにしてもよい。
【符号の説明】
【００４３】
Ｆ…雌側ハウジング
Ｍ…雄側ハウジング
１０…端子収容部
１３…筒状嵌合部
１４…嵌合空間
１５…壁状収容部
１６…壁状規制部
２３…開口部
３０…レバー
３２…カム溝
３２Ｅ…カム溝の入口
４０…端子保持部
４３…フード部
４４…規制壁部
４４Ｅ…規制壁部の先端外縁部
４５…支持壁部
４７…カムフォロア
４８…規制突部
【図１】
2016096095.tif 000003
【図２】
2016096095.tif 000004
【図３】
2016096095.tif 000005
【図４】
2016096095.tif 000006
【図５】
2016096095.tif 000007
【図６】
2016096095.tif 000008
【図７】
2016096095.tif 000009
【図８】
2016096095.tif 000010
【手続補正書】
【提出日】平成27年10月5日(2015.10.5)
【手続補正１】
【補正対象書類名】明細書
【補正対象項目名】０００８
【補正方法】変更
【補正の内容】
【０００８】
この点に着目し、本発明では、支持壁部の外面に規制突部を突出形成し、この規制突部を壁状収容部内のレバーに当接させる構成とした。この規制突部とレバーとの当接位置は、支持壁部の外面や壁状収容部の先端内縁部に比べると、上記基点からの距離が長い。したがって、規制突部が形成されておらず、傾きが最大の状態で支持壁部の外面と壁状収容部の先端内縁部とが当接する従来のものと比較すると、本発明のレバー式コネクタは、ハウジングの傾きを小さく抑えることができる。
【手続補正２】
【補正対象書類名】明細書
【補正対象項目名】００２０
【補正方法】変更
【補正の内容】
【００２０】
図２に示すように、雄側ハウジングＭは、１つの端子保持部４０と左右対称な一対のフード部４３とを一体に形成して構成されている。端子保持部４０は、両ハウジングＦ，Ｍが嵌合した状態において、端子収容部１０の前端面と対向するようになっている。各フード部４３は、略角筒状をなし、端子保持部４０の外周縁から前方（図２〜８における右方）へ延出した形態である。端子保持部４０には、複数本の雄端子金具４１Ｌ，４１Ｓが圧入等により前後方向に貫通した状態で保持されている。
【手続補正３】
【補正対象書類名】明細書
【補正対象項目名】００３６
【補正方法】変更
【補正の内容】
【００３６】
この点に着目し、本実施例１では、両ハウジングＦ，Ｍの上端側において、支持壁部４５の外面に、壁状収容部１５に形成した開口部２３に進入可能な規制突部４８を突出形成し、この規制突部４８を壁状収容部１５内のレバー３０と対向させる構成とした。そして、レバー３０が回動する過程では、規制壁部４４の先端外縁部４４Ｅと壁状規制部１６の内面とを当接させるとともに、規制突部４８の外面とレバー３０とを当接させるようにした。このように上下２箇所における当接形態により、両ハウジングＦ，Ｍの間における姿勢の傾きを抑制又は規制することができた。